(57)【要約】【課題】  複数の文字が配列表示される文字入力画面において、上下左右に移動可能なカーソルの移動先が容易に分かるようにする車両用操作システムを提供する。【解決手段】  車両用操作システム１０００において、表示器５の表示面５００上において、カーソル８０Ａにより選択中の文字８ａを中心とする上下左右４方向のうち、該選択中の文字８ａに隣接する隣接文字９ｃが存在する隣接方向のいずれかに、選択可能な隣接文字９ｃ（９ａ）が０又は２以上特定される所定選択画面１００が表示された際に、制御部１０は、選択可能な隣接文字９ｃ（９ａ）が０又は２以上特定される隣接方向側において、当該隣接方向に対応する方向に操作手段を操作することによりカーソル８０Ａが次に移動する先の文字８ｂを、当該隣接方向毎に特定し、特定された次の移動先文字８ｂを示す移動先表示部８０Ｂを表示させる。【選択図】図４
2011150410.tif 000002
【特許請求の範囲】
【請求項１】
表示面上に複数の文字を配列表示する表示手段と、配列表示された各文字上にてカーソルを順次移動させることにより１つの文字を選択する選択操作と選択中の文字に対する決定入力操作とが可能な操作手段と、決定入力された文字を順次受け付ける入力受付手段と、を備える車両用操作システムにおいて、
前記操作手段は、前記表示面上の上下左右４方向のそれぞれに対応する操作が可能に構成され、前記表示面上のカーソルを、該カーソルが選択中の文字から、当該操作に対応する方向側の選択可能な文字に移動可能であり、
前記表示手段は、前記表示面上において、前記カーソルが選択中の文字を中心とする上下左右４方向のいずれかに、該カーソルが選択中の文字に隣接する選択可能な隣接文字が０又は２以上存在する所定選択画面を表示可能であり、
前記所定選択画面内にて、前記カーソルが選択中の文字を中心とする上下左右４方向のうち、該カーソルが選択中の文字に隣接する選択可能な隣接文字が０又は２以上存在する隣接方向側において、当該隣接方向に対応する方向に前記操作手段が操作された場合に前記カーソルが移動する先である移動先文字を特定する移動先特定手段を備え、
特定された前記移動先文字を示す移動先表示を前記表示手段に対し実施させる移動先表示制御手段と、
を備えることを特徴とする車両用操作システム。
【請求項２】
前記移動先表示は、配列表示される前記複数の文字のうち、前記移動先文字を残余の文字よりも相対的に強調する強調表示の形でなされる請求項１記載の車両用操作システム。
【請求項３】
前記強調表示は、配列表示される前記複数の文字のうち、前記移動先文字に対する表示内容及び表示領域のいずれか又は双方の表示状態を、残余の文字と異なるような表示状態とする形でなされる請求項２記載の車両用操作システム。
【請求項４】
前記強調表示は、前記移動先文字を指し示す方向指示図形を表示する形でなされる請求項２に記載の車両用操作システム。
【請求項５】
前記移動先表示は、前記移動先文字のうち、前記カーソルが選択中の文字に対する上下左右４方向のいずれかの方向にて隣接する選択可能な隣接文字が０又は２以上特定される隣接方向側の移動先文字を、残余の側にて前記カーソルの移動先となる前記隣接文字よりも強調する形でなされる請求項２ないし請求項４のいずれか１項に記載の車両用操作システム。
【請求項６】
前記所定選択画面は、前記カーソルが選択可能な選択可能文字と選択不可能な選択不可文字とを表示するとともに、前記カーソルが選択中の文字を中心とする上下左右４方向のいずれかの方向にて隣接する隣接文字が前記選択不可文字とされた画面であり、
前記操作手段は、前記操作により、前記カーソルが選択中の文字から、該選択中の文字に隣接する前記選択不可文字をスキップし、当該選択不可文字側に位置する選択可能な文字へと前記カーソルを移動させるものである請求項１ないし請求項５のいずれか１項に記載の車両用操作システム。
【請求項７】
辞書データとして複数種の文字列を記憶する辞書データ記憶手段と、
前記辞書データに含まれる文字列から、前記入力受付手段が順次受け付けた文字からなる入力文字列を含む辞書文字列を検索し、当該辞書文字列において当該入力文字列の次に続く候補文字を検索する検索手段と、
前記表示手段に対し、配列表示される前記複数の文字のうち、前記候補文字のみを前記選択可能文字として設定し、残余の文字を前記選択不可文字として設定する選択制限設定手段と、
を備えることを特徴とする請求項６記載の車両用操作システム。
【請求項８】
前記移動先特定手段は、前記カーソルが選択中の文字に隣接する選択可能な隣接文字が０又は２以上存在する隣接方向側において、該カーソルが選択中の文字よりも当該隣接方向側に位置する文字のうち、該カーソルが選択中の文字からの距離がより近い位置にある文字を優先する形で、当該隣接方向側における前記移動先文字を決定するものである請求項６又は請求項７に記載の車両用操作システム。
【請求項９】
前記移動先特定手段は、前記カーソルが選択中の文字に隣接する選択可能な隣接文字が０又は２以上存在する隣接方向側において、該カーソルが選択中の文字よりも当該隣接方向側に位置する文字のうち、該カーソルが選択中の文字が属する行により近い行に含まれる文字を優先する形で、当該隣接方向側における前記移動先文字を決定するものである請求項６又は請求項７に記載の車両用操作システム。
【請求項１０】
前記移動先特定手段は、前記カーソルが選択中の文字に隣接する選択可能な隣接文字が０又は２以上存在する隣接方向側において、該カーソルが選択中の文字よりも当該隣接方向側に位置する文字のうち、該カーソルが選択中の文字が属する列により近い列に含まれる文字を優先する形で、当該隣接方向側における前記移動先文字を決定するものである請求項６又は請求項７に記載の車両用操作システム。
【請求項１１】
前記表示手段の表示面上において、前記カーソルが位置に対する優先側を定めた優先方向情報を記憶する優先方向記憶手段を備え、
前記移動先特定手段は、前記カーソルが選択中の文字に隣接する選択可能な隣接文字が０又は２以上存在する隣接方向側において、該カーソルが選択中の文字よりも当該隣接方向側に位置する文字のうち、前記優先方向情報により定められた優先側の文字を優先する形で、当該隣接方向側における前記移動先文字を決定するものである請求項６又は請求項７に記載の車両用操作システム。
【請求項１２】
請求項７記載の要件を備え、
前記移動先特定手段は、前記カーソルが選択中の文字に隣接する選択可能な隣接文字が０又は２以上存在する隣接方向側において、該カーソルが選択中の文字よりも当該隣接方向側に位置する文字のうち、前記入力受付手段により既に受け付けられた入力文字列の後につなげて得られる文字列を含む辞書文字列を前記辞書データに基づいて検索し、検索ヒット数が最も多かった、前記入力文字列の後に続く文字を優先する形で、当該隣接方向側における前記移動先文字を決定するものである請求項６又は請求項７に記載の車両用操作システム。
【請求項１３】
前記所定選択画面に配列表示される複数の文字は、複数の行又は複数の列から形成されており、該複数の行又は列を形成する文字列のうち、第一の文字列とこれに隣接する第二の文字列は、該第一の文字列に属する各文字と該第二の文字列に属する各文字とが配列方向に互いにずれて位置している請求項１ないし請求項１２のいずれか１項に記載の車両用操作システム。
【請求項１４】
前記所定選択画面において、前記カーソルにより前記第一の文字列に属する文字が選択された場合には、該第一の文字列と前記第二の文字列との間で、前記配列方向のずれがなくなるよう、該第一の文字列と該第二の文字列のいずれか又は双方を前記配列方向に移動させるズレ補正を実施するズレ補正手段を備え、
前記移動先表示制御手段は、前記ズレ補正がなされた画面上にて、前記表示手段に対し前記移動先表示を実施させる請求項１３記載の車両用操作システム。
【請求項１５】
前記所定選択画面を表示する場合に、前記カーソルが選択中の文字に隣接する選択可能な隣接文字が０となる隣接方向側において特定された前記移動先文字を、該カーソルが選択中の文字側に接近させ、選択不可の文字上に重なって見えるように表示させる接近表示を、前記表示手段に対し実施する移動先文字移動手段を備え、
前記移動先表示制御手段は、前記接近表示がなされた画面上にて、前記表示手段に対し前記移動先表示を実施させる請求項１ないし請求項１２のいずれか１項に記載の車両用操作システム。
【請求項１６】
前記移動先文字移動手段は、前記カーソルが選択中の文字に隣接する選択可能な隣接文字が０となる隣接方向側において特定された前記移動先文字が、該カーソルが選択中の文字の当該隣接方向側にて隣接する隣接文字上に重なって見えるように、前記表示手段に対し前記接近表示を実施させるものである請求項１５記載の車両用操作システム。
【発明の詳細な説明】
【技術分野】
【０００１】
本発明は、表示器の表示面上に選択的に操作入力可能となる複数の選択領域を表示し、それら選択領域を択一的にカーソル選択するための操作が可能な操作システムに関する。
【背景技術】
【０００２】
自動車等の車両の操作装置として、ユーザーの前方に位置する表示装置の表示面上に、入力候補となる複数の文字を複数行複数列にて配列した文字入力画面（アルファベット入力画面や５０音文字入力画面等）を表示し、表示面上に設けられたタッチパネルへのタッチ入力によって、表示された各文字を順次入力するものが知られている。また、近年においては、文字入力画面上の各文字を、ユーザーの手元に配置された操作部を操作して遠隔的に入力する操作装置も開発されており、この場合の遠隔操作部として、表示面上にて配列表示されている文字上にてカーソルを上下左右に順次移動させるために、十字状４方向に操作可能な十字方向操作部を設けることができる。
【先行技術文献】
【特許文献】
【０００３】
【特許文献１】特開２００１−５０７６８号公報
【発明の概要】
【発明が解決しようとする課題】
【０００４】
ところが、上記のような十字方向操作部を設けた場合には、カーソルの次の移動先となる文字がどれなのかが分かりづらい場合がある、という問題がある。
【０００５】
例えば、上記のような文字入力画面においては、ユーザーが文字を順次入力していくと、入力された入力文字列を先頭に含む文字列を、記憶装置中の辞書データから検索し、その検索した文字列において当該入力文字列に続く文字を取得し、取得できた文字を選択可能、それ以外の文字を選択不可とする技術がある（特許文献１）。この場合、十字方向操作部でカーソル移動を行うと、カーソルは、選択不可の文字をスキップする。カーソル位置に隣接した真上、真下、真横の文字が選択不可の文字の場合、スキップ後、どの文字にカーソルが移動するのか分かりづらい。例えば、図２５の文字入力画面９８に示すように、カーソル８０Ａが「よ」の位置にある状態で十字方向操作部を右方向に操作した場合に、カーソル８０Ａが右側へ移動することは分かるものの、具体的にどこに移動するのかがわかりにくい。即ち、少し離れているが同じ行にある「く」にカーソル８０Ａが移動することも考えられるし、右側で最も近い位置にある「み」にカーソル８０Ａが移動することも考えられ、カーソル８０Ａの移動先を１つに絞り込むことができない。このため、意図しない文字にカーソル８０Ａが移動してしまうなど、入力に時間がかかってしまうことがある。
【０００６】
また、例えば、アルファベット入力画面において多くみられるような、パソコンのキーボードと同様、隣接する行同士で文字の配列を並び方向にずらした画面がある。この場合、文字が単純に格子状配列される場合よりも特徴的なデザイン性をもたせることができるし、パソコン操作に慣れたものにとっては使い勝手がよいというメリットが得られる。ところが、十字方向操作部を上下に動かした時のカーソルの移動先が分かりづらい。例えば、図２６の文字入力画面９９に示すように、カーソル８０Ａが「G」の位置にある状態で十字方向操作部を下方向に操作した場合、カーソル８０Ａが「V」に移動するのか「Ｂ」に移動するのかが分からない。このため、意図しない側の文字にカーソル８０Ａが移動してしまうなど、入力に時間がかかってしまうことがある。
【０００７】
つまり、カーソル位置の上下左右４方向側にて隣接する選択可能な文字が、それぞれの方向で１つだけ存在する場合には、カーソルの次の移動先は、その隣接する文字となるため分かりやすいが、隣接する文字が選択可能ではないために遠くの別の文字にスキップしてしまう場合（図２５）や、隣接する選択可能な文字が複数存在する場合（図２６）に、カーソルの次の移動先がわかりにくくなるのである。
【０００８】
本発明の課題は、複数の文字が配列表示される文字入力画面において、上下左右に移動可能なカーソルの次の移動先が容易に分かるようにする車両用操作システムを提供することにある。
【課題を解決するための手段および発明の効果】
【０００９】
上記課題を解決するために、本発明の車両用操作システムは、
表示面上に複数の文字を配列表示する表示手段と、配列表示された各文字上にてカーソルを順次移動させることにより１つの文字を選択する選択操作と選択中の文字に対する決定入力操作とが可能な操作手段と、決定入力された文字を順次受け付ける入力受付手段と、を備える車両用操作システムにおいて、
前記操作手段は、前記表示面上の上下左右４方向のそれぞれに対応する操作が可能に構成され、前記表示面上のカーソルを、該カーソルが選択中の文字から、当該操作に対応する方向側の選択可能な文字に移動可能であり、
前記表示手段は、前記表示面上において、前記カーソルが選択中の文字を中心とする上下左右４方向のいずれかに、該カーソルが選択中の文字に隣接する選択可能な隣接文字が０又は２以上存在する所定選択画面を表示可能であり、
前記所定選択画面内にて、前記カーソルが選択中の文字を中心とする上下左右４方向のうち、該カーソルが選択中の文字に隣接する選択可能な隣接文字が０又は２以上存在する隣接方向側において、当該隣接方向に対応する方向に前記操作手段が操作された場合に前記カーソルが移動する先である移動先文字を特定する移動先特定手段を備え、
特定された前記移動先文字を示す移動先表示を前記表示手段に対し実施させる移動先表示制御手段と、
を備えることを特徴とする。
【００１０】
本発明は、表示面上において、カーソル選択中の文字に対しその上下左右４方向のいずれかにおいて隣接する選択可能な隣接文字が０又は２以上特定される所定選択画面を表示可能な表示手段を備えることが前提となる発明であり、この所定選択画面が表示される場合に、選択可能な隣接文字が０又は２以上特定された側においてカーソルの次の移動先が明示される。これにより、ユーザーは、カーソルの次の移動先を把握することができるから、意図しない文字にカーソルを移動させてしまい、入力に時間がかかるといった問題を防止できる。なお、ここでいう「文字」とは、言語の伝達手段として使われる符号であり、ひらがな、カタカナ、漢字、アルファベット、数字、空白、濁点、半濁点、句読点、長音符などの記号を含むが、リターンキーや戻るボタン、各種変換キー等の機能実行ボタンは含まれない。
【００１１】
本発明における移動先表示は、配列表示される前記複数の文字のうち、カーソルの次の移動先となる文字を残余の文字よりも相対的に強調する強調表示の形でなされるものとできる。これにより、カーソルの次の移動先がより一層分かりやすくなる。この強調表示は、例えば、配列表示される前記複数の文字のうち、カーソルの次の移動先となる文字に対する表示内容及び表示領域のいずれか又は双方の表示状態を、残余の文字と異なるような表示状態とする形でなされてもよいし、カーソルの次の移動先となる文字を指し示す方向指示図形を表示する形でなされてもよい。
【００１２】
本発明における前記移動先表示は、前記移動先文字のうち、前記カーソルが選択中の文字に対する上下左右４方向のいずれかの方向にて隣接する選択可能な隣接文字が０又は２以上特定される隣接方向側の移動先文字を、残余の側にて前記カーソルの移動先となる前記隣接文字よりも強調する形でなされるものとできる。これにより、移動先が分かりにくいものほど表示面上で強調されるので、ユーザーはより一層カーソルの移動先をより明確に把握できる。特に、カーソルの次の移動先が隣接文字をスキップした先にあるような場合、移動先（スキップ先）の文字が離れていると、それを探すのに時間がかかってしまう可能性があるが、そうした文字が強調されていれば、時間をかけることなく見つけ出すことが可能となる。
【００１３】
また、本発明においては、カーソルにより選択中の文字を、残余の文字よりも相対的に強調して表示するカーソル文字強調表示制御手段を備えることができる。これにより、現在のカーソル位置も容易に認識可能となる。
【００１４】
本発明における前記所定選択画面は、前記カーソルが選択可能な選択可能文字と選択不可能な選択不可文字とを表示するとともに、前記カーソルが選択中の文字を中心とする上下左右４方向のいずれかの方向にて隣接する隣接文字が前記選択不可文字とされた画面であり、本発明における操作手段は、上記操作により、前記カーソルが選択中の文字から、該選択中の文字に隣接する前記選択不可文字をスキップし、当該選択不可文字側に位置する選択可能な文字へと前記カーソルを移動させるものととできる。カーソルの次の移動先が、カーソル位置に隣接する文字をスキップした位置であったとしても、本発明ではその移動先が明確に示されるから、操作性に優れる。
【００１５】
本発明においては、辞書データとして複数種の文字列を記憶する辞書データ記憶手段と、前記辞書データに含まれる文字列から、前記入力受付手段が順次受け付けた文字からなる入力文字列を含む辞書文字列を検索し、当該辞書文字列において当該入力文字列の次に続く候補文字を検索する検索手段と、前記表示手段に対し、配列表示される前記複数の文字のうち、前記候補文字のみを前記選択可能文字として設定し、残余の文字を前記選択不可文字として設定する選択制限設定手段と、
を備えて構成できる。この構成によると、カーソル位置に隣接する文字が選択不可となることがあり、その文字がスキップされる形でカーソル移動がなされる場合があるが、本発明では、スキップした先にある移動先の文字が明確に示される。
【００１６】
本発明の移動先特定手段は、カーソル選択中の文字に隣接する選択可能な隣接文字が０又は２以上存在する隣接方向側において、該カーソル選択中の文字よりも当該隣接方向側に位置する文字のうち、該カーソル選択中の文字からの距離がより近い位置にある文字を優先する形で、当該隣接方向側における移動先文字を決定するものとできる。
【００１７】
本発明の移動先特定手段は、カーソル選択中の文字に隣接する選択可能な隣接文字が０又は２以上存在する隣接方向側において、該カーソル選択中の文字よりも当該隣接方向側に位置する文字のうち、該カーソル選択中の文字が属する行により近い行に含まれる文字を優先する形で、当該隣接方向側における移動先文字を決定するものとできる。
【００１８】
本発明の移動先特定手段は、カーソル選択中の文字に隣接する選択可能な隣接文字が０又は２以上存在する隣接方向側において、該カーソル選択中の文字よりも当該隣接方向側に位置する文字のうち、カーソル選択中の文字が属する列により近い列に含まれる文字を優先する形で、当該隣接方向側における移動先文字を決定するものとできる。
【００１９】
本発明においては、表示手段の表示面上において、カーソル位置に対する優先側を定めた優先方向情報を記憶する優先方向記憶手段を備えることができる。この場合、移動先特定手段は、カーソル選択中の文字に隣接する選択可能な隣接文字が０又は２以上存在する隣接方向側において、カーソル選択中の文字よりも当該隣接方向側に位置する文字のうち、優先方向情報により定められた優先側の文字を優先する形で、当該隣接方向側における移動先文字を決定するものとできる。
【００２０】
上記した記憶手段と検索手段と選択制限手段とを備える構成において、本発明の移動先特定手段は、カーソル選択中の文字に隣接する選択可能な隣接文字が０又は２以上存在する隣接方向側において、カーソル選択中の文字よりも当該隣接方向側に位置する文字のうち、入力受付手段により既に受け付けられた入力文字列の後につなげて得られる文字列を含む辞書文字列を辞書データに基づいて検索し、検索ヒット数が最も多かった、入力文字列の後に続く文字を優先する形で、当該隣接方向側における移動先文字を決定するものとできる。
【００２１】
本発明において、所定選択画面に配列表示される複数の文字は、複数の行又は複数の列から形成されており、該複数の行又は列を形成する文字列のうち、第一の文字列とこれに隣接する第二の文字列は、該第一の文字列に属する各文字と該第二の文字列に属する各文字とが配列方向に互いにずれて位置していてもよい。この場合、カーソル位置の上下左右方向のいずれかにおいて、隣接する文字が複数存在するものがでてくることになるが、本発明によればカーソルの移動先が示されるから、誤ることなく操作ができる。
【００２２】
本発明においては、所定選択画面を表示する場合に、前記カーソルにより前記第一の文字列に属する文字が選択された場合には、該第一の文字列と前記第二の文字列との間で、前記配列方向のずれがなくなるよう、該第一の文字列と該第二の文字列のいずれか又は双方を前記配列方向に移動させるズレ補正を実施するズレ補正手段を備えて構成することができる。この場合、移動先表示制御手段は、ズレ補正がなされた画面上にて、表示手段に対し移動先表示を実施させるものとできる。隣接する列同士又は隣接する行同士で、互いにズレがあるような表示は、デザイン的な特徴は出るものの、実際に操作する際にはカーソルの移動先を直感的に把握し難いものである。ところが、操作時にそのズレが補正されることにより、カーソルの移動先がより直感的に把握し易くなる。
【００２３】
本発明においては、所定選択画面を表示する場合に、カーソル選択中の文字に隣接する選択可能な隣接文字が０となる隣接方向側において特定された移動先文字を、該カーソル選択中の文字側に接近させ、選択不可の文字上に重なって見えるように表示させる接近表示を、表示手段に対し実施する移動先文字移動手段を備えて構成することができる。この場合、移動先表示制御手段は、接近表示がなされた画面上にて、表示手段に対し移動先表示を実施させるものとできる。カーソル位置に隣接する文字が選択不可になる場合に、選択不可の文字をスキップしてカーソルが移動することで移動先が分かり難くなるのであるから、上記のように、移動先の文字を、カーソル位置により近いところまで移動させてこれば、カーソルの移動先をより直感的に把握し易くなる。
【００２４】
また、本発明における移動先文字移動手段は、カーソル選択中の文字に隣接する選択可能な隣接文字が０となる隣接方向側において特定された移動先文字が、該カーソル選択中の文字の当該隣接方向側にて隣接する隣接文字上に重なって見えるように、表示手段に対し接近表示を実施させるものとできる。この構成によると、移動先の文字が、カーソル位置に隣接するところまで移動されるので、カーソルの移動先をより直感的に把握することができる。
【００２５】
なお、本発明の移動先表示制御手段は、移動先表示として、選択中の文字に対し隣接する選択可能な隣接文字が１のみ特定される隣接方向側においても、当該隣接文字を次の移動先となる文字として示す表示を、表示手段に対し実施させてもよい。これにより、十字状４方向全てにおいてカーソルの移動先が示されるから、カーソルの移動先をより明確に把握できる。
【図面の簡単な説明】
【００２６】
【図１】本発明の一実施形態である車両用操作システムの構成を示すブロック図。
【図２】本発明の操作入力システムが搭載された車両の車室内内観図。
【図３】本発明の操作入力システムに適用可能な操作部の第一例を簡略的に示す図。
【図４】文字入力画面の表示処理の流れを示すフローチャート。
【図５】カーソルの次の移動先を特定する処理の流れを示すフローチャート。
【図６】カーソル位置に隣接する選択可能文字が０又は２以上存在する側において、カーソルの次の移動先を決定する処理の流れを示すフローチャート。
【図７】決定入力処理の流れを示すフローチャート。
【図８】本発明の所定選択画面を示す第一の表示例。
【図９】本発明の所定選択画面を示す第二の表示例。
【図１０】本発明の所定選択画面を示す第三の表示例。
【図１１】本発明の所定選択画面を示す第四の表示例。
【図１２】本発明の所定選択画面を示す第五の表示例。
【図１３】本発明の所定選択画面を示す第六の表示例。
【図１４】本発明の所定選択画面を示す第七の表示例。
【図１５】本発明の所定選択画面を示す第八の表示例。
【図１６】本発明の所定選択画面を示す第九の表示例。
【図１７】本発明の所定選択画面を示す第十の表示例。
【図１８】カーソル位置の上下左右に隣接する隣接文字が、上下左右のいずれかで複数存在する場合に、カーソルの次の移動先を決定する処理の流れを示すフローチャート。
【図１９】カーソル位置の上下左右に隣接する隣接文字が、上下左右のいずれかで複数存在する場合に、複数の中から１つの隣接文字を決める処理の流れを示すフローチャートの第一例。
【図２０】カーソル位置の上下左右に隣接する隣接文字が、上下左右のいずれかで複数存在する場合に、複数の中から１つの隣接文字を決める処理の流れを示すフローチャートの第二例。
【図２１】移動先文字を移動させた上で強調表示する処理を示すフローチャートの第一例。
【図２２】移動先文字を移動させた上で強調表示する処理を示すフローチャートの第二例。
【図２３】カーソル位置に隣接する選択可能文字が０又は２以上存在する側において、カーソルの次の移動先を決定する処理であり、図６とは異なる処理の流れを示すフローチャート。
【図２４】カーソル位置に隣接する選択可能文字が０又は２以上存在する側において、カーソルの次の移動先を決定する処理であり、図６及び図２３とは異なる処理の流れを示すフローチャート。
【図２５】従来の文字入力画面を示す第一の表示例。
【図２６】従来の文字入力画面を示す第二の表示例。
【発明を実施するための形態】
【００２７】
以下、本発明の操作装置の一実施形態を、図面を参照して説明する。
【００２８】
図１に、本発明の車両用操作システムの一実施形態をなすカーナビゲーション装置１０００の構成を示す。カーナビゲーション装置１０００は、位置検出器１、外部記憶装置２、操作部３、リモコンセンサ４０、表示制御回路５０と、これらが接続された制御部（制御回路）１０を備えている。また、カーナビゲーション装置１０００は、車載ＬＡＮ６を介して他の車載機器７と接続しており、操作部３の操作によってカーナビゲーション装置１０００、並びにこれら車載機器７を制御することができる。車載機器７としては、カーエアコン、カーオーディオ、通信装置等を例示できる。
【００２９】
表示器５は、表示制御回路５０を介して制御部１０に接続されており、液晶ディスプレイ等の表示面５００およびスピーカを有して構成される。制御部１０から映像信号の入力があると、当該映像信号に基づく映像が表示面５００上に表示される一方、制御部１０から音声信号の入力があると、当該音声信号に基づく音声がスピーカから出力される。
【００３０】
操作部３は、表示器５の表示面５００の周囲に設けられた複数のメカニカルスイッチ及び当該表示面５００に重ねて設けられたタッチパネル等の主操作部３１の他に、表示器５とは別に設けられた遠隔操作部３２を有する。それら操作部３に対し操作がなされると、対応する操作信号が制御部１０に入力され、該制御部１０は、入力された操作信号に対応する制御を実行する。
【００３１】
本実施形態における表示器５は、表示面５００上に複数の選択領域８を配列表示した選択入力画面１００を表示可能な表示手段であり、制御部１０は、選択入力画面１００上に配列表示された選択領域８のいずれかに対応するタッチパネル３１上の領域がタッチ操作されることにより、当該選択領域８に対する決定入力信号を受け付け、当該選択領域８に対応する制御を実行する。他方、遠隔操作部３２（さらにはリモコン４）は、選択入力画面１００上に配列表示された各選択領域８上にてカーソル８０Ａを順次移動させることにより１つの選択領域８を選択する選択操作と、カーソル選択中の選択領域８ａに対する決定入力操作とが可能な操作手段である。選択入力画面１００上に配列表示された複数の選択領域８の１つがターゲットに選ばれ、表示器５は、ターゲットとされた選択領域８ａにカーソル８０Ａを表示して、他の選択領域８よりも強調して表示する。遠隔操作部３２（さらにはリモコン４）によって、表示面５００の上下左右４方向のいずれかの方向にカーソル８０Ａを移動させる選択操作がなされた場合には、当該操作に対応する方向側に位置する選択可能な選択領域８ｂへとターゲットが変更され、カーソル８０Ａが移動する。そして、いずれか１つの選択領域８がターゲットとされた状態（選択状態）で、遠隔操作部３２やリモコン４等による所定の決定入力操作がなされると、制御部１０は、そのときターゲットとされていた選択領域８に対する決定入力信号を受け付け、当該選択領域８に対応する制御を実行する。
【００３２】
また、ここでの遠隔操作部３２は、表示器５とは異なる位置に設けられており、複数種の操作方式による操作をそれぞれ独立に実施可能に構成された複合操作部として構成されている。ここでは、図３に示すように、表示面５００上に多数配列表示される選択可能な選択領域８（９ａ）上を順次移動するカーソル８０Ａを上下左右４方向に移動するために、操作ノブ３２０を十字方向に移動（スライドや傾倒等）させる十字方向操作方式と、それら十字方向に直交する方向に操作ノブ３２０を押圧する押圧操作方式とが可能とされている。このように、１つの操作ノブ３２０にて複数の操作方式の操作が可能な複合操作部３２は、特開２００９−１７６４３２や特開２００９−０６４６３８に見られるように周知であるから、その具体的な内部構成についての説明は省略する。
【００３３】
また、ここでの遠隔操作部３２は、操作ノブ３２０が予め定められた基準位置から予め定められた十字方向へのみに移動操作可能となるようガイドされる。ここでは特に、操作ノブ３２０が予め定められた基準位置を中心に車両前後方向と車両左右方向の４方向への操作が可能に構成され、それら操作方向のうち車両前後方向が表示器５の表示面５００の上下方向に対応し、車両左右方向が表示器５の表示面５００の左右方向に対応している。また、遠隔操作部３２は、非操作状態にある場合には操作ノブ３２０が基準位置（中立位置）にて保持されるよう付勢手段（ばね部材等）や反力付与手段（反力モータ等）といった基準位置保持手段を備える。
【００３４】
リモコンセンサ４０は、ユーザーの操作に基づいて赤外線等による無線信号を送信するリモートコントロール端末（以下、リモコンと称する）４から受信した信号を制御部１０に出力する。
【００３５】
位置検出器１は、いずれも周知の地磁気センサ１ａ、ジャイロスコープ１ｂ、車速センサ１ｃ、および衛星からの電波に基づいて車両の位置を検出するＧＰＳ（GlobalPositioningSystem）のためのＧＰＳ受信機１Ｄを有し、これらのセンサ等１ａ〜１ｄの検出に基づいた現在位置情報を制御部１０に出力する。これらのセンサ等１ａ〜１ｄは各々が性質の異なる誤差を持っているため、複数のセンサを相補的に使用するように構成されている。なお精度によっては上述した内の一部で構成されていてもよく、更に図示しないステアリングの回転センサ、各駆動輪の車輪センサ等を有していてもよい。
【００３６】
外部記憶装置２は、ＨＤＤ（ハードディスクドライブ）等の不揮発性記憶媒体を備え、制御部１０からの制御命令等に基づいて、この不揮発性記憶媒体に対してデータの読み出しおよび可能であればデータの書き込みの制御を行う。この不揮発性記憶媒体が記憶している情報としては、上記した位置検出の精度向上のためのいわゆるマップマッチング用データ、地図データおよび目印データを含む各種データ、カーナビゲーション装置１０００の動作のためのプログラム等がある。
【００３７】
制御部１０は、周知のマイクロコンピュータとして構成されており、ＣＰＵ、ＲＯＭ、ＲＡＭ、フラッシュメモリ、Ｉ／Ｏおよびこれらを接続するバスラインを備える。制御部１０は、ＲＯＭや外部記憶装置２から読み出したカーナビゲーション装置１０００の動作のためのプログラムを実行し、その実行の際にはＲＯＭ、ＲＡＭ、フラッシュメモリから情報を読み出し、ＲＡＭ、フラッシュメモリに対して情報の書き込みを行い、Ｉ／Ｏを介して位置検出器１、操作部３、外部記憶装置２、表示制御回路５０（表示器５）、リモコンセンサ４０（リモコン４）等と信号の授受を行う。
【００３８】
具体的には、この制御部１０は、カーナビゲーション装置１０００が起動するとき、ＲＯＭからブートプログラム、オペレーティングシステム（以下ＯＳと記す）等を読み出して実行し、このＯＳに基づいたハードウェア制御およびプロセス管理を行う。ＯＳ上で動作するプロセスとしては、メニュープログラム、経路探索プログラム、地図表示プログラム、およびその他のプログラムがある。
【００３９】
以下では、制御部１０がプログラムを読み込んで実行する動作を、当該実行されるプログラムの動作であるとみなして説明する。
【００４０】
メニュープログラムは、ＯＳ上で動作する各種プログラムを、そのプログラムの機能や目的別に階層的にメニュー表示し、そのメニュー表示されたものの中からユーザーが選択したプログラムの実行を開始させる。ユーザーの選択は、リモコンセンサ４０を介したリモコン４、操作部３に対する選択操作や決定入力操作によって制御部１０に入力された信号に基づいて制御部１０が検出する。なお、上記メニュー表示を含む各種表示画面の表示は、外部記憶装置２に記憶された表示用データに基づいて表示され、制御部１０がその表示制御を実施する。
【００４１】
経路探索プログラムは、リモコン４により、あるいは操作部３により目的地の位置が入力されると、現在位置からその目的地までの最適な経路を自動的に選択して誘導経路を形成し表示器５に表示させる。自動的に最適な経路を設定する手法としては、ダイクストラ法等が知られている。
【００４２】
地図表示プログラムは、位置検出器１から入力された現在位置情報に基づく車両現在位置マークと、外部記憶装置２より読み出した地図データと、経路探索プログラムによって形成した誘導経路等の付加データとを重ねてその表示器５の表示面５００に表示させる。
【００４３】
本実施形態の経路探索プログラムは、目的地の入力方法の１つとして、目的地にある施設の名称の文字列を入力することが可能である。即ち、経路検索プログラムは、ユーザーによる目的地の名称の文字列入力を受けると、外部記憶装置２の地図データに予め含まれている、あるいは別途ユーザーによって作成されて外部記憶装置２に保存されている地点情報から当該名称を有する施設を検索し、検索の結果該当した施設への経路探索、経路表示を行う。このような機能を実現するために、経路検索プログラムは、ユーザーの入力文字列を容易にするための文字入力プログラムを利用するようになっている。
【００４４】
具体的には、経路探索プログラムは、経路探索の目的地の文字列入力を受け付ける際に、文字入力プログラムを起動する。そして以下に詳述するように文字入力プログラムは、外部記憶装置２に記憶された所定の表示用データに基づいて表示器５の表示面５００に、図８のような多数の入力候補文字を有する文字入力画面１００を表示し、その上でユーザーの操作部３やリモコン４の操作に基づいて決定入力された文字を順次受け付けるとともに、順次受け付けた文字からなる入力文字列を特定し、特定した入力文字列を経路探索プログラムに出力して終了する。
【００４５】
図４〜図７に、この文字列入力プログラムの動作のフローチャートを示す。文字列入力プログラムは、上記のように経路探索プログラムによって起動されると、図４の表示処理と図７の文字入力処理とが制御部１０により実行され、表示器５の表示面５００には、図８のような文字入力画面１００（１０１）が表示される。
【００４６】
図８の所定選択画面１００（１０１）は、各々が同一の大きさ・形状を有し、各々が入力候補となる各文字の表示を有する複数の文字ボタン（選択領域８）が配列している入力候補文字部１００ｂと、決定入力された文字が順次表示される入力文字列表示部１００ａとを有する。また、本実施形態における所定選択画面１００（１０１）には、他にも、戻る操作部１００ｄ、修正操作部１００ｅ、完了操作部１００ｆといった選択領域８を有する。なお、これらの他にも、現在表示中の入力候補文字に代えて５０音のひらがなを文字ボタンとして表示させるかなボタン、現在表示中の入力候補文字に代えて５０音のカタカナを文字ボタンとして表示させるカナボタン、現在表示中の入力候補文字に代えて英字（Ａ、Ｂ、Ｃ、＋、＝等）を文字ボタンとして表示される英字ボタン、現在表示中の入力候補文字に代えて数字（０、１、２、３、４、５、６、７、８、９）を文字ボタンとして表示させる数記号ボタン等のような入力切替部を選択領域８として備えていてもよい。
【００４７】
図８の入力候補文字部１００ｂには、通常の５０音表の様式で並べられた入力候補文字としての文字ボタン（選択領域８）がマトリクス状に表示されており、表示面５００上でのこれらの文字ボタンの表示を利用して、ユーザーは文字を入力することができる。具体的には、図７の入力処理を制御部１０が実行することで、ユーザーによる文字入力が可能となる。
【００４８】
なお、以下において、文字の選択・決定入力とは、その文字に対応する選択領域８（文字ボタン）の選択・決定入力のことであり、文字に対する選択操作・決定入力操作とは、その文字に対応する選択領域８（文字ボタン）に対する選択操作・決定入力操作のことを意味するものとする。
【００４９】
ここで、図７の文字入力処理（決定入力処理）について説明する。
【００５０】
制御部１０は、Ｓ１１にて決定入力操作がなされたか否かを判定し、決定入力がなされたと判定された場合にはＳ１２に進んで、図８の文字入力画面１００において、決定入力操作時に選択されていた文字に対する決定入力を新たに受け付けるとともに（入力受付手段）、入力文字列表示部１００ａにおいて、既に入力された文字列の次に続く形で、新たに受け付けた文字を表示する。即ち、入力文字列表示部１００ａ内のプロンプトが表示されている位置に決定入力がされた文字が表され、プロンプトはその表した文字の右側に移動されるような表示を表示器５に行わせる。
【００５１】
続くＳ１３では、既に入力された文字列の次に新たに受け付けた文字を続けた入力文字列を、外部記憶装置２が記憶する辞書データと比較し、当該入力文字列の次に文字列が続く辞書文字列を検索し、当該入力文字列の次に続く文字（候補文字）と続かない文字とのいずれか又は双方を特定する処理を、制御部１０が行う。ここでは、外部記憶装置２が記憶する地点情報に含まれる地点の名称のうち、その名称を表す文字列が当該入力文字列から始まっているもの、又は当該入力文字列を含むものを制御部１０のメモリ内の所定領域にリストアップし、リストアップした地点の名称のそれぞれについて、当該入力文字列の次に続く文字（候補文字）を抽出して、そのリストを制御部１０のメモリ内に作成し、更には抽出されなかった文字のリストも当該メモリ中に作成する。そして、制御部１０は、これらのリストを参照する形で、選択可能文字と選択不可文字とに分類し、選択可能・選択不可の設定を行う。即ち、当該入力文字列の次に続く文字（候補文字）があると判定された場合には（Ｓ１４：Ｙｅｓ）、その文字をカーソル選択できない選択不可文字として設定する一方（Ｓ１５）、残余の文字（当該入力文字列の次に続かない文字）をカーソル選択ができる選択可能文字として設定し（Ｓ１６）、本処理を終了する。検索によって次に続かない文字がないと判定された場合には（Ｓ１４：Ｎｏ）、全ての文字を選択可能文字として設定し（Ｓ１６）、本処理を終了する。この処理は所定周期にて繰り返し実施される。
【００５２】
なお、ここでの辞書データとは、外部記憶装置２が記憶する地点情報に含まれる地点の名称の集合に対応し、辞書文字列とは、辞書データがその要素として有するものであって、ここでは各地点の名称を表す文字列が対応する。また、次に続く文字とは、リストアップした地点の名称において、上記入力文字列の次に続く文字のことである。
【００５３】
次に、図４の表示処理（移動先表示制御手段）について説明する。
【００５４】
制御部１０は、Ｓ１にて、文字入力画面１００を初期表示するための初期設定を行い、ここでは、カーソル８０Ａの初期位置の設定や選択可能領域９ａ／選択不可領域９ｂの初期設定等がなされ、それらの設定情報が制御部１０のメモリ内に記憶される。Ｓ２では、カーソル８０Ａの現在位置を、制御部１０のメモリ内に記憶されたカーソル位置情報に基づいて特定する。Ｓ３では、配列表示された各選択領域８が選択可能領域９ａと選択不可領域９ｂのいずれであるかを特定する。これらは、制御部１０のメモリ内に作成される上記リストを参照し、選択可能文字の選択領域８を選択可能領域９ａ、選択不可文字の選択領域８を選択不可領域９ｂと特定する。Ｓ４では、特定されたカーソル８０Ａの現在位置の上下左右４方向のそれぞれにおけるカーソル８０Ａの次の移動先を、制御部１０のメモリ内に記憶されるカーソル移動先情報に基づいて特定する。Ｓ４における移動先の特定処理（移動先特定手段）は、ここでは図５のようにして行う。
【００５５】
図５において、Ｓ４１では、制御部１０がカーソル８０Ａの位置する選択領域８ａの上下左右に隣接する選択領域（以下隣接選択領域という）９ｃを特定する。Ｓ４２では、制御部１０が、Ｓ４１において特定した隣接選択領域９ｃとして、上下左右の各方向でそれぞれ１つの選択可能領域を特定しているか否かを判定する。ここでは、選択可能文字に対応する選択領域８が選択可能領域９ａ、選択不可文字に対応する選択領域８が選択不可領域９ｂであり、上記リストを参照して制御部１０が判定する。カーソル８０Ａの現在位置の上下左右全ての隣接選択領域９ｃとして、選択可能領域９ａがそれぞれ１つだけ特定されていればＳ４３に進み、それらの選択領域９ｃ（９ａ）を全て、カーソル８０Ａの次の移動先となる移動先選択領域８ｂとして決定・記憶する。他方、カーソル８０Ａの位置の上下左右方向に隣接する隣接選択領域９ｃとして、選択可能領域９ａが１つだけ特定されなかった未特定方向がある場合には、Ｓ４４にて、制御部１０が、上記未特定方向側における移動先決定処理を、図６のようにして行い、移動先選択領域８ｂを１つ決定・記憶する一方、Ｓ４５にて、残余の方向側（隣接選択領域９ｃとして選択可能領域９ａが１つだけ特定された側）については、特定された１つの選択可能領域９ａを移動先選択領域８ｂとしてそのまま決定・記憶し、本処理を終了する。なお、Ｓ４３〜Ｓ４５で決定された移動先選択領域８ｂは、カーソル移動先情報として制御部１０のメモリ内に記憶される。
【００５６】
図６は、上記未特定方向側において、移動先選択領域８ｂを決定・記憶する処理の一例である。ここでは、上記未特定方向ごとにこの処理が実行されて、各未特定方向側において移動先選択領域８ｂがそれぞれ１つ決定される。上記未特定方向における移動先選択領域８ｂは、上記未特定方向側に存在する選択可能領域９ａのうち、カーソル８０Ａが現在位置する選択領域８ａから当該未特定方向に続く行又は列に対し、より近い行又は列に存在する選択可能領域９ａから優先的に決定される。即ち、上記未特定方向が左右方向のいずれか又は双方の場合は、上記未特定方向側に存在する選択可能領域９ａのうち、カーソル８０Ａが現在位置する選択領域８ａから当該未特定方向に続く行に対し、より近い行に存在する選択可能領域９ａから優先的に決定され、上記未特定方向が上下方向のいずれか又は双方の場合は、上記未特定方向側に存在する選択可能領域９ａのうち、カーソル８０Ａが現在位置する選択領域８ａから当該未特定方向に続く列に対し、より近い列に存在する選択可能領域９ａから優先的に決定される。
【００５７】
ここで、図６の処理を、図８の文字入力画面１０１を用いて具体的に説明する。まずはＳ４４１にて、制御部１０が、上記未特定方向側の選択領域８のうち、カーソル８０Ａ（８１Ａ）が位置する選択領域８ａから当該未特定方向に続く行又は列に、選択可能領域（選択可能文字）９ａが存在するか否かを判定する。存在する場合はＳ４４７に進み、それらの中で最もカーソル８０Ａの位置に近い位置の選択可能領域（選択可能文字）９ａを特定し、これを移動先選択領域（移動先文字）８ｂとして決定・記憶して本処理を終了する。例えば、図８の場合、カーソル８１Ａは「よ」に位置しており、その下には選択可能文字９ａが隣接するが、他の上・左・右の三方向には選択不可文字９ｂが隣接しているから、これら３方向が上記未特定方向側である。そして、カーソル８１Ａが位置する「よ」の右側（「や」〜「゜」の列よりも右側：「や」〜「゜」の列は含まない）において、「よ」と同一行の選択可能文字９ａとして「く」と「う」が存在しているから、カーソル８１Ａが位置する「よ」に最も近い「く」が移動先文字８ｂに決定・記憶される。また、同様にして、カーソル８１Ａが位置する「よ」の左側の移動先文字８ｂには「ぅ」が決定・記憶される。他方、上記未特定方向側の選択領域８のうち、カーソル８０Ａ（８１Ａ）が位置する選択領域８ａから当該未特定方向に続く行又は列に、選択可能領域（選択可能文字）９ａが存在しない場合はＳ４４２に進む。
【００５８】
Ｓ４４２では、上記未特定方向側の選択領域８のうち、カーソル８０Ａ（８１Ａ）が位置する選択領域８ａから当該未特定方向に続く行又は列に隣接する行又は列に、選択可能領域（選択可能文字）９ａが存在するか否かを判定する。存在する場合はＳ４４８に進み、それらの中で最もカーソル８０Ａの位置に近い位置の選択可能領域（選択可能文字）９ａを特定し、それが複数なければ（Ｓ４４９：Ｎｏ）その選択可能領域（選択可能文字）９ａを移動先選択領域（移動先文字）８ｂとして決定・記憶して本処理を終了する一方（Ｓ４５１）、複数ある場合には（Ｓ４４９：Ｙｅｓ）、予め定められた優先方向情報に基づく優先側の選択可能領域（選択可能文字）９ａが移動先選択領域（移動先文字）８ｂに決定・記憶されて本処理を終了する（Ｓ４５０）。例えば、図８の場合、カーソル８１Ａの位置の上側（「う」〜「ょ」の行よりも上側：「う」〜「ょ」の行は含まない）において、「よ」と同一列に選択可能文字９ａは存在しておらず、当該列に隣接する列に選択可能文字９ａとして「り」と「ら」と「み」が存在しているから、カーソル８１Ａが位置する「よ」に最も近い「り」と「み」が移動先文字８ｂの候補に絞られる。ここでは、カーソル位置に対する「左上」と「右下」を優先側と定めた優先方向情報が外部記憶装置（優先方向記憶手段）２に予め記憶されているから、制御部１０は、これを参照して、ここでは左上側に位置する「り」を移動先文字８ｂとして決定・記憶する。他方、Ｓ４４２にて、上記未特定方向側の選択領域８のうち、カーソル８０Ａ（８１Ａ）が位置する選択領域８ａから当該未特定方向に続く行又は列に隣接する行又は列に、選択可能領域（選択可能文字）９ａが存在しない場合はＳ４４３に進む。
【００５９】
Ｓ４４３では、上記未特定方向側の選択領域８のうち、カーソル８０Ａが位置する選択領域８ａまでの、表示面５００上での距離（例えば、双方の選択領域８の重心位置間距離や、双方の選択領域８の外縁間に定められる最も短い距離）が最も近い選択可能領域（選択可能文字）９ａを特定し、それが複数なければ（Ｓ４４４：Ｎｏ）、その選択可能領域（選択可能文字）９ａを移動先選択領域（移動先文字）８ｂとして決定・記憶して本処理を終了する一方（Ｓ４４５）、複数ある場合には（Ｓ４４４：Ｙｅｓ）、上記優先方向情報に基づいて、予め定められている優先側の選択可能領域（選択可能文字）９ａを移動先選択領域（移動先文字）８ｂとして決定・記憶して本処理を終了する（Ｓ４４６）。
【００６０】
図４に戻る。制御部１０は、Ｓ４にて、カーソル８０Ａの現在位置の上下左右４方向においてカーソル８０Ａの次の移動先をそれぞれ１つずつ特定すると、Ｓ５では、Ｓ２〜Ｓ４にて特定された情報に基づく制御信号を表示制御回路に出力し、表示器５の表示面５００上に図８のような文字入力画面１００を表示させる。
【００６１】
図８の所定選択画面１０１（１００）は、カーソル８０Ａ（８１Ａ）によって選択されている文字８ａに対する上下左右４方向のうち、当該文字８ａに隣接する隣接文字９ｃが存在する隣接方向のいずれかにおいて、選択可能な隣接文字９ａ（９ｃ）が表示面５００上で一つも特定されていない画面、即ち、該隣接方向のいずれかにおいて選択不可な隣接文字９ｂ（９ｃ）が特定される画面である。当該選択不可な隣接文字９ｂ（９ｃ）側に対応する方向に遠隔操作部３２が操作されたときには、当該隣接文字９ｂ（９ｃ）がスキップされる形で、カーソル８０Ａ（８１Ａ）が、選択中の文字８ａから当該選択不可文字９ｂ（９ｃ）側に位置する選択可能文字９ａへと移動する。このときに移動先となる選択可能文字９ａ（移動先選択領域８ｂ）は、上記図５の処理により決定される。
【００６２】
また、図８の所定選択画面１０１（１００）は、選択可能領域９ａと選択不可領域９ｂを有し、これらを表示面５００上で見分けることができるように表示させた選択制限画面である。図８の所定選択画面１０１では、選択可能文字９ａが選択不可文字９ｂよりも相対的に強調されており、ここでは特に選択可能文字９ａを通常表示とし、選択不可文字９ｂを通常表示よりも強調レベルの低い非強調表示とする形でそれぞれが識別可能に表示されている。
【００６３】
さらに、図８の所定選択画面１０１（１００）は、カーソル８０Ａ（８１Ａ）により選択中の文字８ａを中心とする表示面５００上の上下左右４方向のうち、選択可能な隣接文字９ｃ（９ａ）が一つも特定されていない隣接方向側において、カーソル８０Ａの次の移動先となる移動先文字８ｂを明示するための移動先表示が実施された画面である。この移動先表示は、次の移動先となる選択可能文字９ａ（８ｂ）が残余の選択可能文字９ａよりも相対的に強調されるよう、移動先表示部８０Ｂを表示する形でなされる。例えば、次の移動先となる選択可能文字８ｂ（９ａ）に対し、その表示内容及びその表示領域（選択領域）のいずれか又は双方の表示状態を、残余の選択可能文字とは異なるような表示状態とする形で行う。図８の場合は、カーソル８０Ａの次の移動先となるの文字の選択領域８ｂにおいて、その輪郭線８１Ｂが移動先表示部８０Ｂであり、当該輪郭線８１Ｂが赤色の太線で描画されるハイライト表示によって強調されている。
【００６４】
また、図８の移動先表示では、カーソル８１Ａにて選択中の文字８ａに対し選択可能な隣接文字９ｃ（９ａ）が１のみ特定される隣接方向側（図８では下側）においても、当該隣接文字９ｃ（９ａ）を次の移動先となる文字８ｂとして強調表示を実施している。即ち、カーソル８０Ａの現在位置の上下左右４方向全てにおいて、カーソル８０Ａの次の移動先選択領域８ｂを示している。
【００６５】
また、図８の所定選択画面１０１（１００）は、カーソル選択中の文字８ａ（９ａ）も、残余の選択可能文字９ａよりも相対的に強調して表示されており、ここでは、カーソル選択中の文字の選択領域８ａにおいて、その輪郭線８１Ａを青色の太線で描画したハイライト表示の形で、カーソル８１Ａ（８０Ａ）が表示されている。ただし、移動先の文字８ｂにおいて警告色として利用される赤が用いられているため、ここでは移動先の文字８ｂの方がカーソル選択中の文字８ａよりも強調されている。なお、カーソル選択中の文字８ａと移動先の文字８ｂとでは、少なくとも互いの見分けが付くように識別可能な形で表示される必要がある。なお、図８では、カーソル８１Ａと次の移動先８ｂを表示する移動先表示部８１Ｂとをより明確に見分けることができるように色だけでなく太さを変えているが、色だけを変えてもよいし、逆に太さだけを変えてもよいし、他の方法で見分けが付くようにしてもよい。
【００６６】
図４に戻る。Ｓ５にて文字入力画面１００が表示された後には、続くＳ６にて、文字入力画面１００の終了操作の有無を判定し、当該終了操作があった場合には本処理を終了し、無ければＳ７に進む。文字入力画面１００の終了操作としては、別画面への強制切り替え操作や、文字入力の完了操作等、別画面へと遷移させる操作等である。例えば図８の所定選択画面１０１（１００）における文字入力の完了操作は、例えば文字入力完了に対応する選択領域８である完了ボタン１００ｆや、１つ前の画面に戻るための選択領域８であるボタン１００ｄをカーソル選択した状態でなされる決定入力操作であり、当該操作がなされた場合には、現在までに順次入力された文字列を起動元のプログラム（本実施形態においては経路探索プログラム）に渡した上で、本処理は終了となる。
【００６７】
Ｓ７では、制御部１０がカーソル移動操作の有無を判定する。ここでは、遠隔操作部３２（さらにはリモコン４）から入力される上下左右の十字方向操作の操作信号の有無に基づいて、制御部１０が判定する。カーソル移動操作があった場合にはＳ８に進み、カーソル移動操作がなされた方向に対応する次の移動先文字８ｂにカーソル位置（ターゲット）が変更されるよう、制御部のメモリ内に記憶されたカーソル位置情報が更新されるとともに、再びＳ２〜Ｓ５の処理が実施されて、新たなカーソル位置に基づく文字入力画面１００の表示が実施される。他方、カーソル移動操作がなかった場合にはＳ９に進む。
【００６８】
Ｓ９では、制御部１０が、カーソル選択中の文字８ａに対する決定入力操作の有無を判定する。ここでは、操作部３から入力される決定入力操作（タッチパネルのタッチ操作や、遠隔操作部３２（さらにはリモコン４）での決定入力操作）の操作信号の有無に基づいて、制御部が判定する。決定入力操作がなければＳ６に戻り、決定入力操作があった場合には、必要に応じてカーソル移動を行った上で、再びＳ２〜Ｓ９の処理が繰り返される。このような処理が繰り返されることにより、ユーザーによって順次文字が入力され、入力された文字列が最終的に経路探索プログラムに渡されることになる。
【００６９】
上記のような処理が繰り返されることで、文字入力画面１００（１０１）には、例えば、カーソル８０Ａの移動や、次の移動先表示部８０Ｂの変更、選択可能文字９ａと選択不可文字９ｂの表示切り替え等が生じる。
【００７０】
なお、本実施形態の車両用操作システム１０００において、遠隔操作部３２は、これらの主操作部３１よりもユーザーの操作負担が小さくなるよう、予め定められた座席２により近い位置に補助操作部として配置される。ここでは、図２に示すように、運転席と助手席に座したユーザー（搭乗者）がそれら各座席の背もたれにもたれた着座状態のまま双方のユーザーが操作可能となる位置に設けられている。具体的にいえば、遠隔操作部３２は、車両の左右両座席（ここでは運転席と助手席）の間に挟まれる領域（ここではセンターコンソール）Ｃに配置されている。他方、表示器５は、遠隔操作部３２よりも車両前方側にて、それら双方の座席に座したユーザーから視認可能な形で配置されている。
【００７１】
以上、本発明の一実施形態を説明したが、これはあくまでも例示にすぎず、本発明はこれに限定されるものではなく、特許請求の範囲の趣旨を逸脱しない限りにおいて、当業者の知識に基づく種々の変更が可能である。以下、上記実施形態とは異なる実施形態について説明する。
【００７２】
上記実施形態においては、文字入力画面１００において、カーソル８０Ａの次の移動先となる文字８ｂを示しているが、同様の手法で、表示器５の表示面５００上に表示される複数の選択領域８が複数行複数列にて配置した画面を所定選択画面として、カーソル８０Ａの次の移動先となる選択領域８を示すようにしてもよい。
【００７３】
上記実施形態においては、図８に示すように、カーソル選択中の選択領域８ａに対し上下左右で隣接する隣接選択領域９ｃが、表示面５００上で１つだけ特定できる所定選択画面１０１において上記移動先表示を実施しているが、図９の所定選択画面１０４のように、カーソル選択中の選択領域８ａに対し上下左右のいずれかで隣接する隣接選択領域９ｃが、表示面５００上で２以上特定できる画面において、上記移動先表示を実施してもよい。図９の場合、複数の文字（選択領域）８が複数の行又は複数の列を形成する形で配列表示され、さらにデザイン的特徴を出すために、それら行又は列を形成する文字列のうち、第一の文字列とこれに隣接する第二の文字列との間で、それら双方の文字列に属する各文字の配列方向における位置関係を互いにずらした形で表示させている。具体的にいえば、表示器５の表示面５００上において、上下方向における中間の横並びの文字列がその上下に隣接する横並びの文字列に対し、各文字の上下の位置関係がずれており、選択中の文字８ａの上下に隣接する文字９ｃが２つ視認される。なお、ここでは、選択中の文字８ａの上下方向において移動先となる文字８ｂが、選択中の文字８ａに対する左上と右下で隣接する文字９ｃとされることが、予め固定的に定められており、カーソル移動に伴い移動先文字８ｂが順次変更されていく。図９の画面１０４におけるカーソル８４Ａ及び移動先表示部８４Ｂの表示は、図８と同様である。
【００７４】
ただし、上記のように、カーソル選択中の選択領域８ａに対する上下左右方向のいずれかにて、隣接する選択可能な隣接選択領域９ｃ（９ｂ）が、表示面５００上で２以上存在する所定選択画面が表示される実施形態において、それら２以上の隣接選択領域９ｃ（９ｂ）のどれをカーソル８０Ａの次の移動先選択領域８ｂに決定するかが固定的に定められていない場合は、図５の移動先特定処理を異なる処理にて実施する。例えば、図９のような所定選択画面１０４を表示する実施形態において、選択中の文字８ａに対する上下にて隣接する１文字が固定的に定められていない場合や、図１６や図１７の所定選択画面１０１’，１０５’のように、配列する選択領域８の形状や並びが、配列された行や列にて異なったりずれている等、選択中の文字８ａに対し隣接する１つの選択領域を一義に特定できなくなる場合である。例えば、図９において、各文字の選択領域８に対しスペース入力をする選択領域（スペースキー）８は幅広であり、これに隣接する隣接文字９ｃが複数となる。このため、このスペース入力をする選択領域８がカーソル８０Ａにより選択状態となった場合には、これら複数の隣接文字９ｃが全て移動先文字の候補となり、移動先を１つに絞りきれない。図１６や図１７の場合は特に、選択中の文字８ａが、入力候補文字群を表示する入力候補文字部１００ｂの端部の列又は行に位置する選択領域８であり、これに隣接する選択領域８には、各文字を入力するための選択領域８（文字ボタン９）だけでなく、文字入力とは異なる別機能を実行するための選択領域８（例えば符号１０１ｃ〜１００ｆ等であり、図１６と図１７の場合は選択領域１００ｃ、１００ｆ）が隣接しており、これらの選択領域１０１ｄ〜１００ｆ等は、入力候補文字部１００ｂの各入力候補文字とは異なる形状、大きさ、配列を有している。このような場合は、例えば図１８のような移動先特定処理を実行して、各隣接方向において隣接する選択領域９ｃの中から１つを特定する。
【００７５】
図１８では、まずはカーソル選択中の選択領域８ａに対し上下左右４方向にて隣接する隣接選択領域９ｃを特定し（Ｓ４１ａ）、それら隣接選択領域９ｃが存在する隣接方向のいずれかにおいて、選択可能な隣接選択領域９ｃ（９ａ）が表示面５００上で２以上特定される隣接方向の有無を判定する（Ｓ４１ｂ）。２以上特定される隣接方向がなければ、特定された各隣接選択領域９ｃをそのまま利用する形でＳ４２以降の処理（図５のＳ４２以降と同様）を実施し、２以上特定される隣接方向があれば、これを１つに特定する処理を実施する（Ｓ４１ｃ）。具体的には、図１９のように、複数の隣接選択領域９ｃ（９ａ）の中から、カーソル選択中の選択領域８ａと上下方向または左右方向において対向する対向幅（双方の選択領域８において対向する辺の対向区間の長さ）が最も長い選択領域８を１つ特定し（Ｓ４１１）、特定された選択領域８を隣接する１つの選択領域９ｃとして決定してもよいし（Ｓ４１２）、図２０のように、複数の隣接選択領域９ｃの中から、選択中の選択領域８ａまでの距離（例えば、双方の選択領域８の重心位置間距離や、双方の選択領域８の外縁間に定められる最も短い距離）が最も短い１つの選択領域を特定し（Ｓ４１３）、特定された選択領域８を隣接する１つの選択領域９ｃとして決定してもよい（Ｓ４１４）。なお、図１９及び図２０の処理は、選択中の選択領域８ａに対し複数の隣接選択領域９ｃが存在する隣接方向側においてそれぞれ実施される。隣接選択領域９ｃが１つ存在する側については当然その隣接選択領域９ｃが、隣接する１つの選択領域９ｃとして決定される。
【００７６】
なお、上記実施形態における図９の所定選択画面１０４（１００）では、選択不可文字９ｂが設定されず、全ての文字８が選択可能文字９ａとされているが、図９においても図８のように選択不可文字９ｂが設定されるようにしてもよいし、逆に図８において選択不可文字９ｂが設定されないようにしてもよい。
【００７７】
また、上記実施形態においては、図８や図９の画面１０１，１０４のように、次の移動先を示す移動先表示部８０Ｂの表示は、移動先選択領域８ｂの表示内容及びその表示領域（選択領域８）のいずれか又は双方の表示状態を、残余の文字８とは異なるような表示状態とする形でなされているが、例えば、図１０及び図１１の画面１０２，１０５のような所定選択画面を表示してもよい。図１０及び図１１の画面１０２，１０５では、カーソル８２Ａ，８５Ａ（８０Ａ）の次の移動先となる選択領域８ｂを指し示す方向指示図形（ここでは矢印図形）８２Ｂ，８５Ｂを移動先表示部８０Ｂとして表示しており、ここでは方向指示図形（ここでは矢印図形）８２Ｂ，８５Ｂの指示方向前端が次の移動先となる選択領域８ｂに重なる形で表示されている。
【００７８】
また、上記実施形態においては、図８や図９の所定選択画面１０１，１０４のように、表示面５００上の全ての移動先選択領域８ｂにおいて同じ移動先表示部８０Ｂが表示されているが、図１２及び図１３の所定選択画面１０１’，１０５’’のように、移動先選択領域８ｂのうち、カーソル選択中の選択領域８ａに対し隣接する選択可能な隣接文字９ｃ（９ａ）が、表示面５００上で０又は２以上特定される隣接方向側の移動先選択領域８ｂ２（８ｂ）を示す移動先表示部８１Ｂ２，８５Ｂ２（８０Ｂ）を、残余の側（選択中の文字８ａに対し隣接する選択可能な隣接選択領域９ｃ（９ａ）が表示面５００上で１のみ特定される隣接方向側）の移動先選択領域８ｂ１（８ｂ）を示す移動先表示部８１Ｂ１，８５Ｂ１（８０Ｂ）よりも強調して表示させてもよい。この場合、図５の移動先特定処理のＳ４４にて決定された移動先選択領域８ｂと、Ｓ４３及びＳ４５にて決定された移動先選択領域文字８ｂとを識別する識別情報をＲＡＭ等の所定の記憶部に記憶し、図４の表示処理におけるＳ５にてその識別情報を参照することにより、Ｓ４４にて決定された移動先選択領域８ｂを、Ｓ４３及びＳ４５にて決定された移動先選択領域８ｂよりも強調して表示する。
【００７９】
また、上記実施形態においては、図８や図９の所定選択画面１０１，１０４のように、次の移動先となる文字８ｂの表示位置が変わることはなかったが、図１４及び図１５の所定選択画面のように、カーソル選択中の文字８ａに対する上下左右４方向にて隣接する選択可能な隣接文字９ｃ（９ａ）が表示面５００上で０又は２以上特定される隣接方向において、次の移動先となる文字８ｂとして特定された文字を、選択中の文字８ａに対する上下左右４方向にて隣接する位置に移動させて表示してもよい。
【００８０】
図１４の場合は、選択中の文字８ａに対する上下左右４方向にて隣接する選択可能な隣接文字９ｃ（９ａ）が表示面５００上で０となる隣接方向において、制御部１０が、次の移動先に決定された文字８ｂを、該選択中の文字８ａに接近させる接近表示を行い（移動先文字移動手段）、その上で、その文字８ｂに対する移動先表示部を表示している。ここでは、当該接近表示によって、選択中の文字８ａに対し隣接する隣接文字９ｃ上に重なる形で表示させている。これにより、次の移動先となる文字８ｂは、選択中の文字８ａを中心に上下左右４方向に隣接する十字状配置の形となるので、遠隔操作部３２の十字方向操作によるカーソル８３Ａ（８０Ａ）の移動先が非常に分かり易い。
【００８１】
この場合、図５のＳ５において所定選択画面１０３（１００）を表示する場合に、図２１の処理を上下左右の各方向において実施する。即ち、制御部１０が、まずは選択中の文字８ａに対しカーソル８３Ａ（８０Ａ）を表示させ（Ｓ５１）、当該文字８ａに対し次の移動先文字８ｂが隣接した位置にない場合には（Ｓ５２：Ｙｅｓ）、当該移動先文字８ｂを選択中の文字８ａに隣接するよう図１４の下図のように移動して（Ｓ５４）、移動した後の当該移動先文字８ｂが示されるよう移動先表示部８３Ｂ（８０Ｂ）を表示させる（Ｓ５５）。他方、選択中の文字８ａに対し次の移動先文字８ｂが隣接した位置にある場合には（Ｓ５２：Ｎｏ）、当該移動先文字８ｂを移動することはなく、その位置のままで当該移動先文字８ｂが示されるよう移動先表示部８３Ｂ（８０Ｂ）を表示させる（Ｓ５３）。なお、図１４の場合は、上図の画面１０３’から下図の画面１０３への画面遷移を表示面５００上で表現することで、次の移動先文字８ｂはより一層分かり易くなる。
【００８２】
図１５の場合は、選択中の文字８ａに対する上下左右４方向にて隣接する選択可能な隣接文字９ｃ（９ａ）が表示面５００上で２以上ある隣接方向において、該選択中の文字８ａに対する当該隣接方向に、次の移動先に決定された文字８ｂのみが位置するよう、所定の行又は列がずれて表示されているため、移動先表示部８０Ｂを表示する際にはそのズレをなくした形で表示するようにする。より具体的にいえば、図１５の場合は、配列表示される多数の文字８が複数行又は複数列を形成する形で表示され、それら行又は列を形成する文字列のうち、第一の文字列とこれに隣接する第二の文字列との間で、それら双方の文字列に属する各文字８の配列方向の位置関係が互いにずれており、このとき制御部１０は、第一の文字列に属する文字８が選択された場合に、該第一の文字列と第二の文字列との間で配列方向における位置関係のずれがなくなるよう、それら第一の文字列と第二の文字列のいずれか又は双方を配列方向に移動させる。これにより、カーソル選択中の文字８ａを中心とする上下左右４方向のうち、該カーソル選択中の文字８ａに隣接する隣接文字９ｃ（９ａ）が存在する隣接方向において、選択可能な隣接文字９ｃ（９ａ）が、それぞれ１ずつ特定されるようズレ補正を実施する（ズレ補正手段）。
【００８３】
この場合、図５のＳ５において所定選択画面１０６（１００）を表示する場合に、図２２の処理を上下左右の各方向において実施する。即ち、制御部１０は、まずは選択中の文字８ａに対しカーソル８６Ａ（８０Ａ）を表示させ（Ｓ６１）、入力候補文字のいずれかにカーソル８６Ａ（８０Ａ）がある場合には（Ｓ６２：Ｙｅｓ）、選択中の文字８ａの上下左右全方向において次の移動先の文字８ｂが１字だけ隣接するよう、所定の行又は所定の列をずらし（Ｓ６４）、ずらされた後の当該移動先文字８ｂに対し移動先表示部８６Ｂ（８０Ｂ）を表示させる（Ｓ６５）。図１５では、表示面５００上において、入力候補文字８が横並びした行が上下方向に３行並んでおり、中央の横並びの行の文字列が常に移動対象とされている。入力候補文字のいずれかがカーソル選択されていれば、中央の横並びの行が横方向に移動して、ズレが補正される。他方、入力候補文字８がカーソル選択されていなければ、隣接する次の移動先となる選択領域８ｂが示されるよう移動先表示部８６Ｂ（８０Ｂ）を表示させる（Ｓ５３）。なお、図１５の場合も、上図の画面１０６’から下図の画面１０６への画面遷移を表示面５００上で表現することで、次の移動先となる選択領域８ｂはより一層分かり易くしている。
【００８４】
上記実施形態における図６の処理は、図２３や図２４の処理に変更することもできる。図２３の処理では、まず、制御部１０が、カーソル８０Ａの位置に隣接する隣接選択領域９ｃのうち、選択可能領域９ａが１つのみでなかった側（上記未特定方向側）において、カーソル８０Ａの位置に最も近い位置の選択可能領域９ａを特定し（Ｓ４６１）、それが複数なければ（Ｓ４６２：Ｎｏ）、特定された選択可能領域９ａを移動先選択領域８ｂとして決定・記憶して本処理を終了する一方（Ｓ４６４）、複数ある場合には（Ｓ４６２：Ｙｅｓ）、上記優先方向情報に基づいて、予め定められている優先側の選択可能領域９ａを移動先選択領域８ｂとして決定・記憶して本処理を終了する（Ｓ４６３）。図２４の処理では、まず、制御部１０が、既に入力された入力文字列を先頭に含む辞書文字列を、外部記憶装置２中の辞書データから検索し（Ｓ４７１）、当該入力文字列の次に続く文字ごとに、検索された辞書文字列の数（検索ヒット数）を特定する。続いて、制御部１０が、カーソル８０Ａの位置に隣接する隣接選択領域９ｃのうち、選択可能領域９ａが１つのみでなかった側（上記未特定方向側）において、上記検索された文字列の数が最大となった選択可能領域９ａを特定し、それが複数なければ（Ｓ４７３：Ｎｏ）、特定された選択可能領域９ａを移動先選択領域８ｂとして決定・記憶して本処理を終了する一方（Ｓ４７５）、複数ある場合には（Ｓ４７３：Ｙｅｓ）、上記優先方向情報に基づいて、予め定められている優先側の選択可能領域９ａを移動先選択領域８ｂとして決定・記憶して本処理を終了する（Ｓ４７４）。
【００８５】
上記各実施形態においては、車両用操作システム１０００としてカーナビゲーション装置を例示したが、必ずしもカーナビゲーション装置に限るものではなく、例えば携帯電話等であってもよい。すなわち、入力候補文字を表示する表示装置と、文字列の集合を含む辞書データを有する記憶装置とを有し、この表示装置に表示された入力候補文字を利用した文字の入力を順次受け付けるような装置であればよい。また、辞書データとしては、上記各実施形態においては地図データ中に含まれる地点の名称から成る集合を用いたが、必ずしもこのようなものに限らず、例えば、携帯電話の電話帳データに含まれる氏名または電話番号からなる集合であってもよい。すなわち、記憶装置に記憶された文字列の集合であれば足りる。
【００８６】
上記各実施形態においては、表示器５に表示される入力候補文字８としてはかな５０音を例示しているが、これはアルファベットでもよいし、数字、記号等であってもよい。すなわち、文字であればどのようなものでもよい。なお、ここでいう「文字」とは、言語の伝達手段として使われる符号であり、ひらがな、カタカナ、漢字、アルファベット、数字、空白、濁点、半濁点、句読点、長音符などの記号を含むが、リターンキーや戻るボタン、各種変換キー等の機能実行ボタンは含まれない。
【００８７】
上記実施形態においては、移動先表示部８０Ｂによって、カーソル８０Ａの次の移動先となる選択領域８ｂの全てに対し移動先表示部８０Ｂを常に表示しているが、例えば、カーソル選択中の選択領域８ａに対する上下左右４方向にて隣接する選択可能な隣接選択領域９ｃ（９ａ）が表示面５００上で２以上ある場合に限り、移動先表示部８０Ｂを表示するようにしてもよい。また、この場合、選択中の選択領域８ａに対する上下左右４方向にて隣接する選択可能な隣接選択領域９ｃ（９ａ）が表示面５００上で２以上ある隣接方向において、残余の隣接方向よりも移動先表示部８０Ｂを相対的に強調して表示するようにしてもよい。また、隣接する選択可能な隣接選択領域９ｃ（９ａ）が表示面５００上で２以上ある隣接方向においてのみ、移動先表示部８０Ｂを表示し、隣接する選択可能な隣接選択領域９ｃ（９ａ）が表示面５００上で１つだけある隣接方向においては、移動先表示部８０Ｂを表示しないようにしてもよい。
【００８８】
上記実施形態においては、本発明の操作手段として、図３に示すようなジョイスティック型の十字方向操作部３２が例示されているが、表示器５の表示面５００上における上下左右方向に対応した４方向操作が可能な操作部であれば、他の操作部でもよい。例えば、４つのプッシュボタンにて構成される十字キーでもよい。
【００８９】
なお、上記実施形態においては、配列表示された各選択領域８のうち最端に位置する選択領域８をカーソル８０Ａが選択している状態で、当該最端位置のさらに先（最端位置が左端であれば左）に対応する方向に操作ノブ３２０を操作された場合には、カーソル８０Ａは、選択中の選択領域８ａから、最端位置のさらに先とは逆方向側（最端位置が左端であれば右側）の選択領域８を指し示すようにすることができる。
【符号の説明】
【００９０】
１０００  車両用操作システム（カーナビゲーション装置）
１  位置検出器
２  外部記憶装置
３  操作部
３１  主操作部（タッチパネル）
３２  遠隔操作部（操作手段）
３２０  操作ノブ
４  リモコン（操作手段）
４０  リモコンセンサ
５  表示器（表示手段）
５０  表示制御回路
５００  表示面
１０  制御部
８  選択領域
８ａ  カーソル選択中の選択領域
８ｂ  カーソルの次の移動先となる選択領域
９ａ  選択可能領域
９ｂ  選択不可領域
９ｃ  カーソル選択中の選択領域に対し隣接する選択領域
８０Ａ  カーソル
８０Ｂ  移動先表示部
１００  所定選択画面
１００ａ  入力文字列表示部
１００ｂ  入力候補文字部
【図１】
2011150410.tif 000003
【図４】
2011150410.tif 000004
【図５】
2011150410.tif 000005
【図６】
2011150410.tif 000006
【図７】
2011150410.tif 000007
【図８】
2011150410.tif 000008
【図９】
2011150410.tif 000009
【図１０】
2011150410.tif 000010
【図１１】
2011150410.tif 000011
【図１２】
2011150410.tif 000012
【図１３】
2011150410.tif 000013
【図１４】
2011150410.tif 000014
【図１５】
2011150410.tif 000015
【図１６】
2011150410.tif 000016
【図１７】
2011150410.tif 000017
【図１８】
2011150410.tif 000018
【図１９】
2011150410.tif 000019
【図２０】
2011150410.tif 000020
【図２１】
2011150410.tif 000021
【図２２】
2011150410.tif 000022
【図２３】
2011150410.tif 000023
【図２４】
2011150410.tif 000024
【図２５】
2011150410.tif 000025
【図２６】
2011150410.tif 000026
【図２】
2011150410.tif 000027
【図３】
2011150410.tif 000028